(57)【要約】 【課題】映像ソースを切り替える際に手動による面倒な切り替え操作をすることが不要な映像表示方法および映像表示装置を提供することを可能にする。【解決手段】本実施形態の映像表示方法は、３次元映像を継続して視聴するか否かの設定内容を記憶するステップと、記憶された設定内容に基づいて、入力された映像を、３次元映像として表示するかまたは２次元映像として表示するかのいずれか一方を行うステップと、を備えている。【選択図】図２
2012175557.tif 000002
【特許請求の範囲】
【請求項１】
３次元映像を継続して視聴するか否かの設定内容を記憶するステップと、
記憶された設定内容に基づいて、入力された映像を、３次元映像として表示するかまたは２次元映像として表示するかのいずれか一方を行うステップと、
を備えていることを特徴とする映像表示方法。
【請求項２】
前記設定内容が３次元映像を継続して視聴することでありかつ３次元映像を表示している場合に、切り替える映像ソースに基づいて、３次元映像の表示を維持するかまたは２次元映像の表示に切り換えるかを行うステップを更に備えていること特徴とする請求項１記載の映像表示方法。
【請求項３】
前記切り替える映像ソースが放送を介して送られてくる場合は、３次元映像表示を継続することを特徴とする請求項２記載の映像表示方法。
【請求項４】
前記切り替える映像ソースが放送を介して送られてくる以外の場合は、２次元映像表示に切り替えることを特徴とする請求項２記載の映像表示方法。
【請求項５】
前記切り替える映像ソースが３次元映像である場合は、３次元映像表示を継続することを特徴とする請求項２記載の映像表示方法。
【請求項６】
前記切り替える映像ソースが２次元映像である場合は、２次元映像表示に切り替えることを特徴とする請求項２記載の映像表示方法。
【請求項７】
前記設定内容が３次元映像を継続して視聴することであり、かつ切り替える映像ソースが放送を介して送られてくる以外の場合は、前記切り替える映像ソースが３次元映像であるかまたは２次元映像であるかに応じて３次元映像の表示を行うかまたは２次元映像の表示を行うステップを更に備えていること特徴とする請求項１記載の映像表示方法。
【請求項８】
前記設定内容が３次元映像を継続して視聴することであり、かつ切り替える映像ソースが放送を介して送られてくる以外の場合は、前記切り替える映像ソースがデジタル映像であるかまたはアナログ映像であるかに応じて３次元映像の表示を行うかまたは２次元映像の表示を行うステップを更に備えていること特徴とする請求項１記載の映像表示方法。
【請求項９】
前記設定内容が３次元映像を継続して視聴しないことである場合は、２次元映像の表示を行うことを特徴とする請求項１記載の映像表示方法。
【請求項１０】
３次元映像を継続して視聴するか否かの設定内容を記憶するメモリと、
記憶された設定内容に基づいて、入力された映像を変換する映像変換部と、
前記映像変換部によって変換された映像を表示する表示パネルと、
を備えていることを特徴とする映像表示装置。
【発明の詳細な説明】
【技術分野】
【０００１】
本発明の実施形態は、映像表示方法および映像表示装置に関する。
【背景技術】
【０００２】
近年、３次元映像を表示する機能を具備した映像表示装置が製品化されている。また、この映像表示装置には、２次元画映像から３次元映像に変換する機能を具備した製品もある。この変換する機能を具備した製品においては、通常の２次元映像も３次元映像に変換して表示するため、視聴者が意図的に３次元映像の放送や外部コンテンツを選択せずとも、全ての映像ソースを３次元映像として視聴することができる。このため、３次元映像表示モードに設定した場合には視聴者が２次元映像表示モードに戻さない限りは、映像ソースを切り換えても３次元映像表示モードをずっと継続することになる。
【０００３】
一方、３次元映像を長時間連続して視聴した場合に、視聴者によっては気分が悪くなったり眼精疲労などが発生するケースも考えられる。このようなことを避けるために、視聴者が放送のチャンネルを切り換えるなどの映像ソースを切り換える度に２次元映像表示モードに戻す製品も存在する。
【０００４】
前者の製品では、通常は２次元映像表示モードで見ていて、別の番組や外部コンテンツを３次元映像表示モードに設定して見たいという視聴者にとっては、別の番組や外部コンテンツに映像ソースを切り換えた時に、手動で２次元映像表示モードに戻さなければならず、不便である。
【０００５】
また、後者の製品では、色々な番組や外部コンテンツを３次元映像表示モードで見たいという視聴者にとっては、映像ソースを切り替える度に２次元映像表示モードに戻るのを待って、手動で３次元映像表示モードにしなければならず、非常に面倒である。
【先行技術文献】
【特許文献】
【０００６】
【特許文献１】特開２００４−１６３４４７号公報
【発明の概要】
【発明が解決しようとする課題】
【０００７】
本発明が解決しようとする課題は、映像ソースを切り替える際に手動による面倒な切り替え操作をすることが不要な映像表示方法および映像表示装置を提供することである。
【課題を解決するための手段】
【０００８】
本実施形態の映像表示方法は、３次元映像を継続して視聴するか否かの設定内容を記憶するステップと、記憶された設定内容に基づいて、入力された映像を、３次元映像として表示するかまたは２次元映像として表示するかのいずれか一方を行うステップと、を備えていることを特徴とする。
【図面の簡単な説明】
【０００９】
【図１】第１実施形態による映像表示装置を示すブロック図。
【図２】第１実施形態において、３次元映像継続視聴設定内容に基づいて映像表示を行う方法を説明するフローチャート。
【図３】３次元映像継続視聴設定内容に基づいて映像表示を行う機能を示すブロック図。
【図４】３次元映像継続視聴の設定方法を説明する図。
【図５】第１実施形態の変形例において、３次元映像継続視聴設定内容に基づいて映像表示を行う方法を説明するフローチャート。
【図６】第２実施形態において、３次元映像継続視聴設定内容に基づいて映像表示を行う方法を説明するフローチャート。
【図７】第３実施形態において、３次元映像継続視聴設定内容に基づいて映像表示を行う方法を説明するフローチャート。
【発明を実施するための形態】
【００１０】
以下に、図面を参照して実施形態を説明する。
【００１１】
（第１実施形態）
第１実施形態の映像表示装置を図１に示す。この実施形態の映像表示装置は、図示しないアンテナで受信した複数の第１放送波および第２放送波の電波はそれぞれ検波回路２１、２２において検波され、復調回路４に送られる。復調回路４において、ＭＰＥＧ圧縮された映像および音声の放送データが復調されて映像処理プロセッサ１０に送出される。
【００１２】
一方、複数の外部機器からの映像および音声信号、例えば第１乃至第３デジタル映像音声信号およびアナログ映像音声信号を外部入力信号受信回路６はそれぞれのポートにおいて受信し、視聴者が選択したポートの信号を映像データおよび音声データに分離して映像処理プロセッサ１０の映像入力回路１２および音声出力回路２０にそれぞれ送出する。
【００１３】
映像処理プロセッサ１０においては、復調回路４を介して送出される映像および音声データはＭＰＥＧデコード回路１４に送られて分離され、映像データおよび音声データは映像処理回路１８および音声出力回路２０にそれぞれ送出される。
【００１４】
送出されてきた映像データは映像処理回路１８において表示部パネル４４に適合するように処理され、その後、映像変換回路４０に送られる。また映像処理プロセッサ１０にはＣＰＵ２２が内蔵されており、このＣＰＵ２２は、外部から入力された映像信号が３次元映像か否かの判定や、２次元映像の場合に２次元映像から３次元映像への変換を行うか、あるいは３次元映像を継続的に視聴を行なうか等の設定メニューを表示パネル４４に表示して、それらの設定メニューから視聴者が選択した設定内容に基づいて３次元映像変換回路４０に指示を送る。例えば、これらの視聴者が選択した設定内容により、映像変換回路４０に対して、２次元映像無変換、２次元映像から３次元映像への変換、３次元映像から３次元映像への変換などの指示をＣＰＵ２２が行なう。そして、この指示に基づいて、映像変換回路４０において映像データが変換され、変換された映像データが映像変換回路４０から表示パネル制御回路４２を通して表示パネル４４に送られ、表示パネル４４において表示される。
【００１５】
一方、音声出力回路２０に送られてきた音声データは、音声アンプ４６に送られて増幅され、この増幅された音声データはスピーカー４８に送られて出力される。
【００１６】
また、映像処理プロセッサ１０はメモリ制御回路２４を有している。このメモリ制御回路２４は、プログラムメモリ３２へのプログラムデータのアクセス、およびワークメモリ３０への動作中におけるデータ制御、メニューのＧＵＩデータのアクセスを行うとともに、映像処理のための映像データのバッファリングなどをワークメモリ３０において行う。
【００１７】
視聴者の設定操作などの指令はリモコンからの赤外光をリモコン受信回路７において受信し、電源回路９などを制御するシステムコントローラ８を介して映像処理プロセッサ１０の通信回路１６との通信により取得され、ＣＰＵ２２に送られる。ＣＰＵ２２は、上記指令に基づいて設定を行う。視聴者が設定する操作メニューに関するＣＰＵ２２の動作について図２乃至図４を参照して説明する。
【００１８】
図２はＣＰＵ２２が映像ソースの切り替え判定、例えばチャネル等の切り替えを行うときの手順を示すフローチャートであり、図３はＣＰＵ２２の機能ブロック図であり、図４は視聴者が例えばリモートコントローラを用いて設定する場合を説明する図である。図４に示すように、各種の設定、例えば３次元映像を継続的に視聴するか否かの設定（３Ｄ映像継続視聴設定）は、表示パネル４４に表示された設定メニューを参照して例えばリモートコントローラ６０を用いて視聴者２００が行っておく。この設定は、映像表示装置を購入した最初に行ってもよいし、映像表示装置がオンされる度に行うようにしてもよい。そして、設定された内容はメモリ、例えばプログラムメモリ３２に保持される。本実施形態においては、ＣＰＵ２２は、図３に示すように、表示モード判定部２２ａと、３次元映像継続判定部２２ｂと、映像ソース判定部２２ｃと、３次元映像表示設定部２２ｄと、２次元映像表示設定部２２ｅと、表示切り替え部２２ｆとを備えている。
【００１９】
まず、映像表示装置が、現在の表示モードが２次元映像表示モードであるかまたは３次元映像表示モードであるかを、表示モード判定部２２ａにおいて判定する（図２のステップＳ１参照）。２次元映像表示モードである場合にはステップＳ１０に進み、２次元映像表示設定部２２ｆにおいて、２次元映像表示の設定を行う。３次元映像表示モードである場合にはステップＳ３に進み、視聴者が予め設定しメモリに記憶された設定内容に基づいて、３次元映像継続視聴を行うか否かであるかの判定を３次元映像継続判定部２２ｂにおいて判定する。視聴者が設定した設定内容が継続視聴を行わない場合はステップＳ１０に進み、２次元映像表示設定部２２ｆにおいて、２次元映像表示の設定を行う。
【００２０】
視聴者が設定しメモリに記憶された設定内容が継続視聴を行う場合はステップＳ５に進み、現在の映像ソースが放送波であるかまたはビデオ等からの外部入力信号であるかの判定を映像ソース判定部２２ｃにおいて行う。外部入力信号であると判定された場合はステップＳ１０に進み、２次元映像表示設定部２２ｆにおいて、２次元映像表示の設定を行う。これに対して、放送波であると判定された場合はステップＳ７に進み、切り替え後の映像ソースが放送波であるかまたは外部入力信号であるかの判定を映像ソース判定部２２ｃにおいて行う。外部入力信号であると判定された場合はステップＳ１０に進み、２次元映像表示設定部２２ｆにおいて、２次元映像表示の設定を行う。放送波であると判定された場合はステップＳ９に進み、３次元映像表示の設定が３次元映像表示設定部２２ｄにおいて行われ、３次元映像を表示するように表示切り替え部２２ｆに指令が送られる。またステップＳ１０においては、２次元映像表示設定部２２ｅによって、２次元映像表示の設定が行われ、２次元映像を表示するように表示切り替え部２２ｆに指令が送られる。表示切り替え部２２ｆは上記指令に基づいて、表示の切り替えを行うように、３次元映像変換回路４０および表示パネル制御４２を制御する（ステップＳ１１）。
【００２１】
以上説明したように、第１実施形態によれば、現在の表示モード、３次元映像継続視聴設定の内容、現在の映像ソース、および切り替え後の映像ソースに基づいて、２次元映像表示の設定または３次元映像表示の設定を行うので、映像ソースを切り替える際に手動による面倒な切り替え操作が不要な映像表示方法および映像表示装置を提供することができる。
【００２２】
（変形例）
次に、第１実施形態の映像表示装置の変形例を図５を参照して説明する。この変形例の映像表示装置は、第１実施形態とは、ＣＰＵ２２の動作が異なる。このＣＰＵ２２の動作を図５に示す。この第２実施形態においては、第１実施形態において、ステップＳ７をステップＳ６に置き換えた構成となっている。このステップＳ６は、３次元映像継続視聴が設定されている場合に、切り替え後の映像ソースが放送波および外部入力信号のいずれであっても、３次元映像表示の設定を行うようにした構成となっている。すなわち、映像ソース判定部２２ｃが切り替え後の映像ソースが放送波および外部入力信号のいずれであっても、３次元映像表示設定部２２ｆに指令信号を送る構成となっている。
【００２３】
この変形例においても第１実施形態と同様に、映像ソースを切り替える際に手動による面倒な切り替え操作が不要な映像表示方法および映像表示装置を提供することができる。
【００２４】
なお、この変形例において、切り替え後の映像ソースが外部入力信号であって、この外部入力信号に３次元映像が存在せず、映像品質の低いアナログ映像信号である場合には、２次元映像表示の設定を行うようにしてもよい。これらの設定は、設定メニューに表示して視聴者に予め選択させるようにしてもよい。
【００２５】
（第２実施形態）
次に、第２実施形態の映像表示装置を図６を参照して説明する。この第２実施形態の映像表示装置は、第１実施形態とは、ＣＰＵ２２の動作が異なる。このＣＰＵ２２の動作を図６に示す。この第２実施形態においては、第１実施形態において、ステップＳ５を削除し、ステップＳ８を新たに追加した構成となっている。すなわち、図６に示すＣＰＵ２２の動作は、現在の映像ソースの種類に拘わらず、映像ソースの切り替えが行われたときの動作を示している。
【００２６】
この第２実施形態においては、ＣＰＵ２２は、ステップＳ７において、切り替え後の映像ソースが放送波であるか、あるいは外部入力信号であるかを映像ソース判定部２２ｃによって判定する。放送波であると判定された場合には、第１実施形態と同様に、ステップＳ９に進み、３次元映像表示の設定が行われる。これに対して、切り替え後の映像ソースが外部入力信号と判定された場合には、ステップＳ８に進む。
【００２７】
ステップＳ８において、この外部入力信号が３次元映像であるか、または２次元映像であるかを映像ソース判定部２２ｃによって判定する。２次元映像であると判定された場合には、ステップＳ１０に進み、２次元映像表示設定部２２ｆにおいて、２次元映像表示の設定を行う。一方、ステップＳ８において３次元映像であると判定された場合には、ステップＳ９に進み、３次元映像表示の設定が３次元映像表示設定部２２ｄによって行われ、３次元映像を表示するように表示切り替え部２２ｆに指令が送られる。
【００２８】
以上説明したように、第２実施形態によれば、第１実施形態と同様に、現在の表示モード、３次元映像継続視聴設定の内容、および切り替え後の映像ソースに基づいて、２次元映像表示の設定または３次元映像表示の設定を行うので、映像ソースを切り替える際に手動による面倒な切り替え操作が不要な映像表示方法および映像表示装置を提供することができる。
【００２９】
また、切り替え後の映像ソースがそれぞれ３次元映像であるか、または２次元映像であるかによって、３次元映像表示の設定または２次元映像表示の設定を行うので、映像ソースを切り替える際に手動による面倒な切り替え操作が不要となる。
【００３０】
なお、この第２実施形態において、ステップＳ８において、切り替え後の映像ソースが２次元映像であると判定された場合でも、３次元映像表示の設定を行ってもよい。
【００３１】
また、切り替え後の映像ソースが２次元映像であると判定されたときでも、映像ソースの品質が良い場合、例えば高解像度の映像の場合には３次元映像表示の設定を行い、悪い場合、例えばアナログビデオ信号などの低解像度の映像の場合には２次元映像表示の設定を行ってもよい。この場合、品質の良否は、ＣＰＵ２２が自動的に判定しても良いし、視聴者に設定メニューとして表示パネル４４に表示し、視聴者が選択するようにしてもよい。
【００３２】
（第３実施形態）
次に、第３実施形態の映像表示装置を図７を参照して説明する。この第３実施形態の映像表示装置は、第２実施形態とは、ＣＰＵ２２の動作が異なる。このＣＰＵ２２の動作を図７に示す。この第３実施形態においては、第２実施形態において、ステップＳ８をステップＳ８’に置き換えた構成となっている。この図７に示すＣＰＵ２２の動作も、第２実施形態の場合と同様に、現在の映像ソースの種類に拘わらず、映像ソースの切り替えが行われたときの動作を示している。
【００３３】
この第３実施形態においては、ＣＰＵ２２は、ステップＳ７において、切り替え後の映像ソースが放送波であるか、あるいは外部入力信号であるかを映像ソース判定部２２ｃによって判定する。放送波であると判定された場合には、第２実施形態と同様に、ステップＳ９に進み、３次元映像表示の設定が行われる。これに対して、切り替え後の映像ソースが外部入力信号と判定された場合には、ステップＳ８’に進む。
【００３４】
ステップＳ８’において、この外部入力信号がデジタル映像であるか、またはアナログ映像であるかを映像ソース判定部２２ｃによって判定する。アナログ映像であると判定された場合には、ステップＳ１０に進み、２次元映像表示設定部２２ｆにおいて、２次元映像表示の設定を行う。一方、ステップＳ８’においてデジタル映像であると判定された場合には、ステップＳ９に進み、３次元映像表示の設定が３次元映像表示設定部２２ｄによって行われ、３次元映像を表示するように表示切り替え部２２ｆに指令が送られる。
【００３５】
以上説明したように、第３実施形態によれば、第２実施形態と同様に、現在の表示モード、３次元映像継続視聴設定の内容、および切り替え後の映像ソースに基づいて、２次元映像表示の設定または３次元映像表示の設定を行うので、映像ソースを切り替える際に手動による面倒な切り替え操作が不要な映像表示方法および映像表示装置を提供することができる。
【００３６】
また、切り替え後の映像ソースがそれぞれデジタル映像であるか、またはアナログ映像であるかによって、３次元映像表示の設定または２次元映像表示の設定を行うので、映像ソースを切り替える際に手動による面倒な切り替え操作が不要となる。
【００３７】
本発明のいくつかの実施形態を説明したが、これらの実施形態は、例として提示したものであり、発明の範囲を限定することは意図していない。これらの実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００３８】
６  外部入力信号受信回路
１０  映像処理プロセッサ
１２  映像入力回路
１４  ＭＰＥＧデコード回路
１６  通信回路
１８  映像処理回路
２０  音声出力回路
２２  ＣＰＵ
２２ａ  表示モード判定部
２２ｂ  ３次元映像継続判定部
２２ｃ  映像ソース判定部
２２ｄ  ３次元映像表示設定部
２２ｅ  ２次元映像表示設定部
２２ｆ  表示切り替え部
４０  映像変換回路
４２  表示パネル制御回路
４４  表示パネル
４６  音声アンプ
４８  スピーカー
【図１】
2012175557.tif 000003
【図２】
2012175557.tif 000004
【図３】
2012175557.tif 000005
【図４】
2012175557.tif 000006
【図５】
2012175557.tif 000007
【図６】
2012175557.tif 000008
【図７】
2012175557.tif 000009
【手続補正書】
【提出日】平成23年9月27日(2011.9.27)
【手続補正１】
【補正対象書類名】明細書
【補正対象項目名】００１４
【補正方法】変更
【補正の内容】
【００１４】
送出されてきた映像データは映像処理回路１８において表示パネル４４に適合するように処理され、その後、映像変換回路４０に送られる。また映像処理プロセッサ１０にはＣＰＵ２２が内蔵されており、このＣＰＵ２２は、外部から入力された映像信号が３次元映像か否かの判定や、２次元映像の場合に２次元映像から３次元映像への変換を行うか、あるいは３次元映像を継続的に視聴を行なうか等の設定メニューを表示パネル４４に表示して、それらの設定メニューから視聴者が選択した設定内容に基づいて映像変換回路４０に指示を送る。例えば、これらの視聴者が選択した設定内容により、映像変換回路４０に対して、２次元映像無変換、２次元映像から３次元映像への変換、３次元映像から３次元映像への変換などの指示をＣＰＵ２２が行なう。そして、この指示に基づいて、映像変換回路４０において映像データが変換され、変換された映像データが映像変換回路４０から表示パネル制御回路４２を通して表示パネル４４に送られ、表示パネル４４において表示される。
【手続補正２】
【補正対象書類名】明細書
【補正対象項目名】００１９
【補正方法】変更
【補正の内容】
【００１９】
まず、映像表示装置が、現在の表示モードが２次元映像表示モードであるかまたは３次元映像表示モードであるかを、表示モード判定部２２ａにおいて判定する（図２のステップＳ１参照）。２次元映像表示モードである場合にはステップＳ１０に進み、２次元映像表示設定部２２ｅにおいて、２次元映像表示の設定を行う。３次元映像表示モードである場合にはステップＳ３に進み、視聴者が予め設定しメモリに記憶された設定内容に基づいて、３次元映像継続視聴を行うか否かであるかの判定を３次元映像継続判定部２２ｂにおいて判定する。視聴者が設定した設定内容が継続視聴を行わない場合はステップＳ１０に進み、２次元映像表示設定部２２ｅにおいて、２次元映像表示の設定を行う。
【手続補正３】
【補正対象書類名】明細書
【補正対象項目名】００２０
【補正方法】変更
【補正の内容】
【００２０】
視聴者が設定しメモリに記憶された設定内容が継続視聴を行う場合はステップＳ５に進み、現在の映像ソースが放送波であるかまたはビデオ等からの外部入力信号であるかの判定を映像ソース判定部２２ｃにおいて行う。外部入力信号であると判定された場合はステップＳ１０に進み、２次元映像表示設定部２２ｅにおいて、２次元映像表示の設定を行う。これに対して、放送波であると判定された場合はステップＳ７に進み、切り替え後の映像ソースが放送波であるかまたは外部入力信号であるかの判定を映像ソース判定部２２ｃにおいて行う。外部入力信号であると判定された場合はステップＳ１０に進み、２次元映像表示設定部２２ｅにおいて、２次元映像表示の設定を行う。放送波であると判定された場合はステップＳ９に進み、３次元映像表示の設定が３次元映像表示設定部２２ｄにおいて行われ、３次元映像を表示するように表示切り替え部２２ｆに指令が送られる。またステップＳ１０においては、２次元映像表示設定部２２ｅによって、２次元映像表示の設定が行われ、２次元映像を表示するように表示切り替え部２２ｆに指令が送られる。表示切り替え部２２ｆは上記指令に基づいて、表示の切り替えを行うように、３次元映像変換回路４０および表示パネル制御４２を制御する（ステップＳ１１）。
【手続補正４】
【補正対象書類名】明細書
【補正対象項目名】００２２
【補正方法】変更
【補正の内容】
【００２２】
（変形例）
次に、第１実施形態の映像表示装置の変形例を図５を参照して説明する。この変形例の映像表示装置は、第１実施形態とは、ＣＰＵ２２の動作が異なる。このＣＰＵ２２の動作を図５に示す。この変形例においては、第１実施形態において、ステップＳ７をステップＳ６に置き換えた構成となっている。このステップＳ６は、３次元映像継続視聴が設定されている場合に、切り替え後の映像ソースが放送波および外部入力信号のいずれであっても、３次元映像表示の設定を行うようにした構成となっている。すなわち、映像ソース判定部２２ｃが切り替え後の映像ソースが放送波および外部入力信号のいずれであっても、３次元映像表示設定部２２ｄに指令信号を送る構成となっている。
【手続補正５】
【補正対象書類名】明細書
【補正対象項目名】００２７
【補正方法】変更
【補正の内容】
【００２７】
ステップＳ８において、この外部入力信号が３次元映像であるか、または２次元映像であるかを映像ソース判定部２２ｃによって判定する。２次元映像であると判定された場合には、ステップＳ１０に進み、２次元映像表示設定部２２ｅにおいて、２次元映像表示の設定を行う。一方、ステップＳ８において３次元映像であると判定された場合には、ステップＳ９に進み、３次元映像表示の設定が３次元映像表示設定部２２ｄによって行われ、３次元映像を表示するように表示切り替え部２２ｆに指令が送られる。
【手続補正書】
【提出日】平成24年2月7日(2012.2.7)
【手続補正１】
【補正対象書類名】特許請求の範囲
【補正対象項目名】全文
【補正方法】変更
【補正の内容】
【特許請求の範囲】
【請求項１】
映像ソースの切り替え時に現在の表示モードが３次元映像モードである場合に３次元映像を継続して視聴するか否かの設定を行うとともに、３次元映像を継続して視聴する場合に現在の映像ソースと切り替え後の映像ソースに基づいて、３次元映像表示設定または２次元映像設定を行い、設定内容を記憶するステップと、
前記設定内容が３次元映像を継続して視聴することでありかつ３次元映像を表示している場合に、切り替え後の映像ソースに基づいて、３次元映像の表示を維持するかまたは２次元映像の表示に切り換えるかを行うステップと、
前記切り替え後の映像ソースが放送を介して送られてくる場合は、３次元映像表示を継続するステップと、
を備えていることを特徴とする映像表示方法。
【請求項２】
前記切り替え後の映像ソースが放送を介して送られてくる以外の場合は、２次元映像表示に切り替えることを特徴とする請求項１記載の映像表示方法。
【請求項３】
前記切り替え後の映像ソースが３次元映像である場合は、３次元映像表示を継続することを特徴とする請求項１記載の映像表示方法。
【請求項４】
前記切り替え後の映像ソースが２次元映像である場合は、２次元映像表示に切り替えることを特徴とする請求項１記載の映像表示方法。
【請求項５】
映像ソースの切り替え時に現在の表示モードが３次元映像モードである場合に３次元映像を継続して視聴するか否かの設定を行うとともに、３次元映像を継続して視聴する場合に現在の映像ソースと切り替え後の映像ソースに基づいて、３次元映像表示設定または２次元映像設定を行い、設定内容を記憶するステップと、
前記設定内容が３次元映像を継続して視聴することであり、かつ切り替え後の映像ソースが放送を介して送られてくる以外の場合は、前記切り替え後の映像ソースが３次元映像であるかまたは２次元映像であるかに応じて３次元映像の表示を行うかまたは２次元映像の表示を行うステップを更に備えていること特徴とする映像表示方法。
【請求項６】
映像ソースの切り替え時に現在の表示モードが３次元映像モードである場合に３次元映像を継続して視聴するか否かの設定を行うとともに、３次元映像を継続して視聴する場合に現在の映像ソースと切り替え後の映像ソースに基づいて、３次元映像表示設定または２次元映像設定を行い、設定内容を記憶するステップと、
前記設定内容が３次元映像を継続して視聴することであり、かつ切り替え後の映像ソースが放送を介して送られてくる以外の場合は、前記切り替え後の映像ソースがデジタル映像であるかまたはアナログ映像であるかに応じて３次元映像の表示を行うかまたは２次元映像の表示を行うステップを更に備えていること特徴とする映像表示方法。
【請求項７】
前記設定内容が３次元映像を継続して視聴しないことである場合は、２次元映像の表示を行うことを特徴とする請求項１、５、または６記載の映像表示方法。
【請求項８】
映像ソースの切り替え時に現在の表示モードが３次元映像モードである場合に３次元映像を継続して視聴するか否かの設定、３次元映像を継続して視聴する場合に現在の映像ソースと切り替え後の映像ソースに基づいて３次元映像表示または２次元映像の設定の設定内容を記憶するメモリと、
前記設定内容が３次元映像を継続して視聴することでありかつ３次元映像を表示している場合に、切り替え後の映像ソースに基づいて、３次元映像または２次元映像に変換する映像変換部と、
前記映像変換部によって変換された映像を表示する表示パネルと、
を備え、
前記映像変換部は、前記切り替え後の映像ソースが放送を介して送られてくる場合は、３次元映像に変換することを特徴とする映像表示装置。
【手続補正書】
【提出日】平成24年5月31日(2012.5.31)
【手続補正１】
【補正対象書類名】特許請求の範囲
【補正対象項目名】全文
【補正方法】変更
【補正の内容】
【特許請求の範囲】
【請求項１】
映像ソースの切り替え時に現在の表示モードが３次元映像モードである場合に３次元映像を継続して視聴するか否かの設定を行うとともに、３次元映像を継続して視聴する場合に現在の映像ソースと切り替え後の映像ソースに基づいて、３次元映像表示設定または２次元映像設定を行い、設定内容を記憶するステップと、
前記設定内容が３次元映像を継続して視聴することでありかつ３次元映像を表示している場合に、切り替え後の映像ソースに基づいて、３次元映像の表示を維持するかまたは２次元映像の表示に切り換えるかを行うステップと、
前記切り替え後の映像ソースが放送を介して送られてくる場合は、３次元映像表示を継続するステップと、
を備えていることを特徴とする映像表示方法。
【請求項２】
前記切り替え後の映像ソースが放送を介して送られてくる以外の場合は、２次元映像表示に切り替えることを特徴とする請求項１記載の映像表示方法。
【請求項３】
前記切り替え後の映像ソースが３次元映像である場合は、３次元映像表示を継続することを特徴とする請求項１記載の映像表示方法。
【請求項４】
前記切り替え後の映像ソースが外部入力信号であって２次元映像である場合は、２次元映像表示に切り替えることを特徴とする請求項１記載の映像表示方法。
【請求項５】
映像ソースの切り替え時に現在の表示モードが３次元映像モードである場合に３次元映像を継続して視聴するか否かの設定を行うとともに、３次元映像を継続して視聴する場合に現在の映像ソースと切り替え後の映像ソースに基づいて、３次元映像表示設定または２次元映像設定を行い、設定内容を記憶するステップと、
前記設定内容が３次元映像を継続して視聴することであり、かつ切り替え後の映像ソースが放送を介して送られてくる以外の場合は、前記切り替え後の映像ソースが３次元映像であるかまたは２次元映像であるかに応じて３次元映像の表示を行うかまたは２次元映像の表示を行うステップを更に備えていること特徴とする映像表示方法。
【請求項６】
映像ソースの切り替え時に現在の表示モードが３次元映像モードである場合に３次元映像を継続して視聴するか否かの設定を行うとともに、３次元映像を継続して視聴する場合に現在の映像ソースと切り替え後の映像ソースに基づいて、３次元映像表示設定または２次元映像設定を行い、設定内容を記憶するステップと、
前記設定内容が３次元映像を継続して視聴することであり、かつ切り替え後の映像ソースが放送を介して送られてくる以外の場合は、前記切り替え後の映像ソースがデジタル映像であるかまたはアナログ映像であるかに応じて３次元映像の表示を行うかまたは２次元映像の表示を行うステップを更に備えていること特徴とする映像表示方法。
【請求項７】
前記設定内容が３次元映像を継続して視聴しないことである場合は、２次元映像の表示を行うことを特徴とする請求項１、５、または６記載の映像表示方法。
【請求項８】
映像ソースの切り替え時に現在の表示モードが３次元映像モードである場合に３次元映像を継続して視聴するか否かの設定、３次元映像を継続して視聴する場合に現在の映像ソースと切り替え後の映像ソースに基づいて３次元映像表示または２次元映像の設定の設定内容を記憶するメモリと、
前記設定内容が３次元映像を継続して視聴することでありかつ３次元映像を表示している場合に、切り替え後の映像ソースに基づいて、３次元映像または２次元映像に変換する映像変換部と、
前記映像変換部によって変換された映像を表示する表示パネルと、
を備え、
前記映像変換部は、前記切り替え後の映像ソースが放送を介して送られてくる場合は、３次元映像に変換することを特徴とする映像表示装置。